(57)【要約】【課題】媒体幅端がインク吐出部と接触することを抑制し、且つ、印刷媒体の幅方向における印刷可能領域が狭くなることを抑制することができるインクジェットプリンターを提供する。【解決手段】ロール紙Ｐを支持するプラテンと、ロール紙Ｐの第１媒体幅端Ｐ１に対してインクを吐出可能な第１吐出位置７１ａと、ロール紙Ｐの第２媒体幅端Ｐ２に対してインクを吐出可能な第２吐出位置７１ｂと、に移動しながら、プラテンに支持されたロール紙Ｐに対してインクを吐出するインク吐出部７１と、インク吐出部７１が第２吐出位置７１ｂに位置する際に、第１媒体幅端Ｐ１をプラテンに対して押える第１押え位置８１１ａ（第１位置）に位置し、インク吐出部７１が第１吐出位置７１ａに位置する際に、第１押え位置８１１ａよりもロール紙Ｐの幅方向外側となる第１外側位置８１１ｂ（第２位置）に位置する第１押え部８１１、を有する押え部材８１とを備えた。【選択図】図５
2016185620.tif 000002
【特許請求の範囲】
【請求項１】
印刷媒体を送る送り部と、
前記印刷媒体の送り経路に設けられ、前記印刷媒体を支持するプラテンと、
前記印刷媒体の幅方向における一方の端部である第１媒体幅端に対してインクを吐出可能な第１吐出位置と、前記印刷媒体の幅方向における他方の端部である第２媒体幅端に対してインクを吐出可能な第２吐出位置と、に移動しながら、前記プラテンに支持された前記印刷媒体に対してインクを吐出するインク吐出部と、
前記インク吐出部が前記第２吐出位置に位置する際に、前記第１媒体幅端を前記プラテンに対して押える第１位置に位置し、前記インク吐出部が前記第１吐出位置に位置する際に、第１位置よりも前記印刷媒体の幅方向外側となる第２位置に位置する第１押え部、を有する押え部材と、
を備えたことを特徴とするインクジェットプリンター。
【請求項２】
前記インク吐出部を移動させる駆動部と、
前記駆動部の動力を受けて、前記インク吐出部を前記第１吐出位置と前記第２吐出位置とに移動させる移動部と、
前記インク吐出部の移動に連動して、前記押え部材を移動させる連動部と、
前記移動部を介して入力した前記駆動部の動力を、前記連動部が前記押え部材を移動させるように、前記連動部に伝達する動力伝達部と、
をさらに備えたことを特徴とする請求項１に記載のインクジェットプリンター。
【請求項３】
前記押え部材は、ラック部を有し、
前記連動部は、前記ラック部と噛み合う有歯部、および前記ラック部と噛み合わない欠歯部、を含み、前記インク吐出部の移動に連動して回転する欠歯歯車、を有し、
前記欠歯歯車は、前記インク吐出部が、前記第１吐出位置と前記第２吐出位置との間の第１途中位置と、前記第１吐出位置と、の間で移動する際に、前記ラック部と噛み合うことを特徴とする請求項２に記載のインクジェットプリンター。
【請求項４】
前記動力伝達部のうち前記連動部側の連動部側動力伝達部、前記連動部、前記押え部材、および前記プラテン、が支持されたプラテン側支持部と、
前記動力伝達部のうち前記移動部側の移動部側動力伝達部、前記移動部、および前記インク吐出部、が支持された印刷部側支持部と、をさらに備え、
前記プラテン側支持部は、前記プラテンに支持された前記印刷媒体に前記インク吐出部からインクが吐出される印刷位置と、前記プラテンに支持された前記印刷媒体に前記インク吐出部からインクが吐出されない非印刷位置と、に可動であり、
前記プラテン側支持部が前記印刷位置に位置する際に、前記移動部側動力伝達部の前記連動部側動力伝達部への動力出力端と、前記連動部側動力伝達部の前記移動部側動力伝達部からの動力入力端とが係合し、前記プラテン側支持部が前記非印刷位置に位置する際に、前記動力出力端と前記動力入力端とが係合離脱することを特徴とする請求項２または３に記載のインクジェットプリンター。
【請求項５】
前記押え部材は、前記インク吐出部が前記第１吐出位置に位置する際に、前記第２媒体幅端を前記プラテンに対して押える第３位置に位置し、前記インク吐出部が前記第２吐出位置に位置する際に、第３位置よりも前記印刷媒体の幅方向外側となる第４位置に位置する第２押え部、をさらに有することを特徴とする請求項１ないし４のいずれか一項に記載のインクジェットプリンター。
【請求項６】
前記インク吐出部を移動させる駆動部と、
前記駆動部の動力を受けて、前記インク吐出部を前記第１吐出位置と前記第２吐出位置とに移動させる移動部と、
前記インク吐出部の移動に連動して、前記押え部材を移動させる連動部と、
前記移動部を介して入力した前記駆動部の動力を、前記連動部が前記押え部材を移動させるように、前記連動部に伝達する動力伝達部と、
をさらに備えたことを特徴とする請求項５に記載のインクジェットプリンター。
【請求項７】
前記押え部材は、ラック部を有し、
前記連動部は、前記ラック部と噛み合う有歯部、および前記ラック部と噛み合わない欠歯部、を含み、前記インク吐出部の移動に連動して回転する欠歯歯車、を有し、
前記欠歯歯車は、前記インク吐出部が、前記第１吐出位置と前記第２吐出位置との間の第１途中位置と、前記第１吐出位置と、の間で移動する際、および、前記インク吐出部が、前記第１吐出位置と前記第２吐出位置との間の第２途中位置と、前記第２吐出位置と、の間で移動する際に、前記ラック部と噛み合い、前記インク吐出部が、前記第１途中位置と前記第２途中位置との間で移動する際に、前記ラック部と噛み合わないことを特徴とする請求項６に記載のインクジェットプリンター。
【請求項８】
前記第１押え部は、前記第２位置に位置する際に、前記第１媒体幅端を押えることを特徴とする請求項１ないし７のいずれか一項に記載のインクジェットプリンター。
【請求項９】
前記第１押え部は、前記第２位置に位置する際に、前記第１媒体幅端を押えないことを特徴とする請求項１ないし７のいずれか一項に記載のインクジェットプリンター。
【発明の詳細な説明】
【技術分野】
【０００１】
本発明は、プラテンに支持された印刷媒体の幅方向における端部を押える押え部を備えたインクジェットプリンターに関するものである。
【背景技術】
【０００２】
従来、記録紙を巻き取りながら送る巻取り軸と、記録紙の送り経路に設けられ、記録紙を支持するプラテンと、記録紙の両端部間を移動しながら、プラテンに支持された記録紙に対してインクを吐出するインクジェットヘッドと、記録紙の幅方向両端部を押える記録紙押え部と、を備えたインクジェットプリンターが知られている。このインクジェットプリンターは、記録紙押え部により、プラテンに支持された記録紙の両端部のめくれを規制することで、記録紙の両端部がインクジェットヘッドと接触することを防止し、安定的に記録を行うことを狙ったものである（特許文献１参照）。
【先行技術文献】
【特許文献】
【０００３】
【特許文献１】特開平１１−２０８０４６号公報
【発明の概要】
【発明が解決しようとする課題】
【０００４】
本発明者は、以下の課題を見出した。
上記のようなインクジェットプリンターにおいて、プラテンに支持された印刷媒体に対してインク吐出部がインクを吐出している間、押え部が印刷媒体の幅方向における端部である媒体幅端を常に押えていると、押え部に対して押えられた箇所、つまり媒体幅端には、インク吐出部からインクを着弾させることができない。このため、印刷媒体の幅方向における印刷可能領域が狭くなってしまう。
【０００５】
本発明は、媒体幅端がインク吐出部と接触することを抑制し、且つ、印刷媒体の幅方向における印刷可能領域が狭くなることを抑制することができるインクジェットプリンターを提供することを課題としている。
【課題を解決するための手段】
【０００６】
本発明のインクジェットプリンターは、印刷媒体を送る送り部と、印刷媒体の送り経路に設けられ、印刷媒体を支持するプラテンと、印刷媒体の幅方向における一方の端部である第１媒体幅端に対してインクを吐出可能な第１吐出位置と、印刷媒体の幅方向における他方の端部である第２媒体幅端に対してインクを吐出可能な第２吐出位置と、に移動しながら、プラテンに支持された印刷媒体に対してインクを吐出するインク吐出部と、インク吐出部が第２吐出位置に位置する際に、第１媒体幅端をプラテンに対して押える第１位置に位置し、インク吐出部が第１吐出位置に位置する際に、第１位置よりも印刷媒体の幅方向外側となる第２位置に位置する第１押え部、を有する押え部材と、を備えたことを特徴とする。
【０００７】
この構成では、インク吐出部が第２吐出位置に位置する際に、第１押え部が第１位置に位置し、第１媒体幅端を押える。このため、第１媒体幅端がインク吐出部と接触することが抑制される。また、インク吐出部が第１吐出位置に位置する際に、第１押え部が第２位置に位置する。このため、第１吐出位置に位置するインク吐出部から、第１媒体幅端に対して、インクが着弾可能となる。したがって、本構成によれば、第１媒体幅端がインク吐出部と接触することを抑制し、且つ、印刷媒体の幅方向における印刷可能領域が狭くなることを抑制することができる。
【０００８】
この場合、インク吐出部を移動させる駆動部と、駆動部の動力を受けて、インク吐出部を第１吐出位置と第２吐出位置とに移動させる移動部と、インク吐出部の移動に連動して、押え部材を移動させる連動部と、移動部を介して入力した駆動部の動力を、連動部が押え部材を移動させるように、連動部に伝達する動力伝達部と、をさらに備えたことが好ましい。
【０００９】
この構成では、駆動部の動力が移動部に伝達されると、インク吐出部が第１吐出位置や第２吐出位置に移動すると共に、移動部を介して動力伝達部に入力した駆動部の動力が、連動部に伝達され、連動部が押え部材を移動させる。これにより、インク吐出部の移動と、押え部材の移動とが連動して行われる。
【００１０】
この場合、押え部材は、ラック部を有し、連動部は、ラック部と噛み合う有歯部、およびラック部と噛み合わない欠歯部、を含み、インク吐出部の移動に連動して回転する欠歯歯車、を有し、欠歯歯車は、インク吐出部が、第１吐出位置と第２吐出位置との間の第１途中位置と、第１吐出位置と、の間で移動する際に、ラック部と噛み合うことが好ましい。
【００１１】
この構成では、インク吐出部が第１途中位置と第１吐出位置との間で移動する際に、インク吐出部の移動に連動して、押え部材が移動する。一方、インク吐出部が第１途中位置よりも第２吐出位置側に位置している際に、欠歯歯車がラック部と噛み合わない状態になると、インク吐出部の移動に連動して欠歯歯車が回転しても、押え部材が移動しない。これにより、インク吐出部が第１途中位置よりも第２吐出位置側に位置している間は、第１押え部が第１位置から第１外側位置へ移動しない。したがって、本構成によれば、第１押え部が第１位置から退避する必要がある場合、すなわち、インク吐出部が第１吐出位置に位置している場合、以外は、なるべく長い間、第１押え部により第１媒体幅端を押えておくことができる。
【００１２】
この場合、動力伝達部のうち連動部側の連動部側動力伝達部、連動部、押え部材、およびプラテン、が支持されたプラテン側支持部と、動力伝達部のうち移動部側の移動部側動力伝達部、移動部、およびインク吐出部、が支持された印刷部側支持部と、をさらに備え、プラテン側支持部は、プラテンに支持された印刷媒体にインク吐出部からインクが吐出される印刷位置と、プラテンに支持された印刷媒体にインク吐出部からインクが吐出されない非印刷位置と、に可動であり、プラテン側支持部が印刷位置に位置する際に、移動部側動力伝達部の連動部側動力伝達部への動力出力端と、連動部側動力伝達部の移動部側動力伝達部からの動力入力端とが係合し、プラテン側支持部が非印刷位置に位置する際に、動力出力端と動力入力端とが係合離脱することが好ましい。
【００１３】
この構成によれば、プラテン側支持部が非印刷位置に位置する際に、移動部側動力伝達部の動力出力端と、連動部側動力伝達部の動力入力端とが係合離脱することにより、プラテン側支持部が印刷位置から非印刷位置へスムースに移動することができる。また、プラテン側支持部が印刷位置に位置する際に、移動部側動力伝達部の動力出力端と、連動部側動力伝達部の動力入力端とが係合することにより、動力伝達部が、移動部を介して入力した駆動部の動力を、連動部に伝達することができる。
【００１４】
この場合、押え部材は、インク吐出部が第１吐出位置に位置する際に、第２媒体幅端をプラテンに対して押える第３位置に位置し、インク吐出部が第２吐出位置に位置する際に、第３位置よりも印刷媒体の幅方向外側となる第４位置に位置する第２押え部、をさらに有することが好ましい。
【００１５】
この構成では、インク吐出部が第１吐出位置に位置する際に、第２押え部が第３位置に位置し、第２媒体幅端を押える。このため、第２媒体幅端がインク吐出部と接触することが抑制される。一方、インク吐出部が第２吐出位置に位置する際に、第２押え部が第４位置に位置する。このため、第２吐出位置に位置するインク吐出部から、第２媒体幅端に対して、インクが着弾可能となる。したがって、本構成によれば、第２媒体幅端がインク吐出部と接触することを抑制し、且つ、印刷媒体の幅方向における印刷可能領域が狭くなることを抑制することができる。
【００１６】
この場合、インク吐出部を移動させる駆動部と、駆動部の動力を受けて、インク吐出部を第１吐出位置と第２吐出位置とに移動させる移動部と、インク吐出部の移動に連動して、押え部材を移動させる連動部と、移動部を介して入力した駆動部の動力を、連動部が押え部材を移動させるように、連動部に伝達する動力伝達部と、をさらに備えたことが好ましい。
【００１７】
この場合、押え部材は、ラック部を有し、連動部は、ラック部と噛み合う有歯部、およびラック部と噛み合わない欠歯部、を含み、インク吐出部の移動に連動して回転する欠歯歯車、を有し、欠歯歯車は、インク吐出部が、第１吐出位置と第２吐出位置との間の第１途中位置と、第１吐出位置と、の間で移動する際、および、インク吐出部が、第１吐出位置と第２吐出位置との間の第２途中位置と、第２吐出位置と、の間で移動する際に、ラック部と噛み合い、インク吐出部が、第１途中位置と第２途中位置との間で移動する際に、ラック部と噛み合わないことが好ましい。
【００１８】
この構成では、インク吐出部が第１途中位置と第１吐出位置との間で移動する際、およびインク吐出部が第２途中位置と第２吐出位置との間で移動する際に、インク吐出部の移動に連動して、押え部材が移動する。一方、インク吐出部が第１途中位置と第２途中位置との間で移動する際に、インク吐出部の移動に連動して欠歯歯車が回転しても、押え部材が移動しない。これにより、インク吐出部が第１途中位置と第２途中位置との間に位置している間は、第１押え部が第１位置から第２位置へ移動せず、第２押え部が第３位置から第４位置へ移動しない。したがって、本構成によれば、第１押え部が第１位置から退避する必要がある場合、すなわち、インク吐出部が第１吐出位置に位置している場合、以外は、なるべく長い間、第１押え部により第１媒体幅端を押えておくことができる。また、第２押え部が第３位置から退避する必要がある場合、すなわち、インク吐出部が第２吐出位置に位置している場合、以外は、なるべく長い間、第２押え部により第２媒体幅端を押えておくことができる。
【００１９】
この場合、第１押え部は、第２位置に位置する際に、第１媒体幅端を押えることが好ましい。
【００２０】
この構成によれば、第１押え部が第２位置から第１位置に移動する際に、第１押え部が、印刷媒体の幅方向における一方の端部側の端面を引っ掛けることを抑制することができる。
【００２１】
この場合、第１押え部は、第２位置に位置する際に、第１媒体幅端を押えないことが好ましい。
【００２２】
この構成によれば、印刷媒体の第１媒体幅端に対してフチ無し印刷を行うことも可能となり、印刷媒体の幅方向における印刷可能領域が狭くなることを、より効果的に抑制することができる。
【図面の簡単な説明】
【００２３】
【図１】本発明の一実施形態に係るレシートプリンターを＋Ｙ側から見た概略構成図であって、蓋部が開かれた状態の図である。
【図２】図１に示したレシートプリンターを＋Ｙ側から見た概略構成図であって、蓋部が閉じられた状態の図である。
【図３】図１に示したレシートプリンターを＋Ｚ側から見た概略構成図である。
【図４】図１に示したレシートプリンターが備える媒体押え部について説明するための図であって、（ａ）はインク吐出部が＋Ｙ側に移動する際の媒体押え部の動作を示す図、（ｂ）はインク吐出部が−Ｙ側に移動する際の媒体押え部の動作を示す図である。
【図５】インク吐出部の移動に連動して押え部材が移動することについて説明するための図である。
【発明を実施するための形態】
【００２４】
以下、添付の図面を参照し、本発明の一実施形態に係るレシートプリンターＡについて説明する。このレシートプリンターＡは、インクジェット方式によりロール紙Ｐに印刷を行い、レシートやクーポン券などを作成するものである。なお、以下の図面では必要に応じて、装置各部の配置関係を明確にするために、ＸＹＺ直交座標系を表示する。
【００２５】
図１ないし図３を参照して、レシートプリンターＡの概略構成について説明する。レシートプリンターＡは、装置ケース１と、蓋部２と、リンク部３と、ロール体収容部４と、送りローラー対５と、プラテン６と、印刷部７と、媒体押え部８とを備えている。なお、図示省略したが、レシートプリンターＡは、ロール紙Ｐの印刷済み部分を切り離すためのカッターを備えている。
【００２６】
装置ケース１は、略直方体の箱状である。装置ケース１の＋Ｘ側の面には、開口部１１が設けられている。この開口部１１から、ロール紙Ｐがロール状に巻かれたロール体Ｒが装置ケース１内に投入される。装置ケース１の＋Ｘ側の面には、開口部１１を開閉する蓋部２が設けられている。
【００２７】
蓋部２は、開口部１１を閉塞した状態から−Ｚ側に開かれる。蓋部２が閉じられた状態でも、開口部１１の＋Ｚ側の端部は完全には閉塞されず、スリット状の隙間が形成される。この隙間が、印刷済みのロール紙Ｐが排出される排出口１２となる。蓋部２は、リンク部３に取り付けられている。
【００２８】
リンク部３は、４節の平行リンク機構である。すなわち、リンク部３は、＋Ｘ側に設けられた一対の第１リンク部材３１と、−Ｘ側に設けられた一対の第２リンク部材３２と、第１リンク部材３１および第２リンク部材３２との間を連結するように設けられた第３リンク部材３３とを備えている。
【００２９】
一対の第１リンク部材３１は、Ｙ方向に並び設けられている。各第１リンク部材３１の一方の端部は、第１リンク支軸３４と回転可能に連結されている。第１リンク支軸３４は、ロール体収容部４の＋Ｘ側で、Ｙ方向と平行に設けられている。各第１リンク部材３１の他方の端部は、第３リンク部材３３と回転可能に連結されている。一対の第１リンク部材３１には、蓋部２が取り付けられている。
【００３０】
一対の第２リンク部材３２は、Ｙ方向に並び設けられている。各第２リンク部材３２の一方の端部は、第２リンク支軸３５と回転可能に連結されている。第２リンク支軸３５は、ロール体収容部４の−Ｘ側で、Ｙ方向と平行に設けられている。各第２リンク部材３２の他方の端部は、第３リンク部材３３と回転可能に連結されている。
第３リンク部材３３には、プラテン６などが設けられている。
【００３１】
リンク部３は、第１リンク部材３１および第２リンク部材３２がＸ方向と平行になり、プラテン６に支持されたロール紙Ｐに印刷部７からインクが吐出されない非印刷位置３ａと、第１リンク部材３１および第２リンク部材３２がＺ方向と平行になり、プラテン６に支持されたロール紙Ｐに印刷部７からインクが吐出される印刷位置３ｂと、に可動である。蓋部２が開かれると、リンク部３が非印刷位置３ａに移動し、蓋部２が閉じられると、リンク部３が印刷位置３ｂに移動する。
【００３２】
リンク部３には、蓋部２のほか、後述する駆動ローラー５１と、プラテン６と、媒体押え部８の大部分（後述する移動部側動力伝達部８３ａ以外）と、排紙ガイド９とが支持されている。
なお、第１リンク支軸３４および第２リンク支軸３５は、装置ケース１内の装置フレーム（図示省略）に設けられている。装置フレームには、リンク部３のほか、従動ローラー５２、印刷部７、および媒体押え部８の一部（移動部側動力伝達部８３ａ）が支持されている。
【００３３】
ロール体収容部４は、開口部１１の−Ｘ側に設けられている。蓋部２が開かれると、開口部１１からロール体収容部４にロール体Ｒを投入可能となる。ロール体収容部４は、ロール紙Ｐが繰出し可能なように、ロール体Ｒを収容する。ロール体収容部４から、送りローラー対５およびプラテン６を経て、排出口１２に至る経路が、ロール紙Ｐの送り経路となる。
【００３４】
送りローラー対５は、蓋部２が閉じられた状態で、ロール体収容部４よりも＋Ｚ側で且つ−Ｘ側寄りの位置に設けられている。送りローラー対５は、ロール体収容部４に収容されたロール体Ｒから繰り出されたロール紙Ｐを、排出口１２に向けてＸ方向に送る。送りローラー対５は、駆動ローラー５１と、駆動ローラー５１の＋Ｚ側に設けられた従動ローラー５２とを備えている。駆動ローラー５１は、送りモーター（図示省略）の動力が伝達されて回転する。従動ローラー５２は、駆動ローラー５１に対して従動回転する。
【００３５】
プラテン６は、蓋部２が閉じられた状態で、送り経路に位置しており、Ｘ方向に送られるロール紙Ｐを支持する。プラテン６は、第３リンク部材３３に設けられており、蓋部２の開閉に伴って移動する。蓋部２が開かれてリンク部３が非印刷位置３ａに位置する状態では、プラテン６が開口部１１よりも＋Ｘ側、すなわち装置ケース１の外側に位置するため、ロール紙Ｐをロール体収容部４から引き出してプラテン６上にセットする作業がやりやすくなる。また、蓋部２が閉じられてリンク部３が印刷位置３ｂに位置する状態では、プラテン６が印刷部７に対向するため、プラテン６に支持されたロール紙Ｐに対して、印刷部７から吐出されたインクが着弾可能となる。
【００３６】
印刷部７は、プラテン６に支持されたロール紙Ｐに対して、シリアル方式により印刷を行う。印刷部７は、インク吐出部７１と、キャリッジ７２と、キャリッジガイド軸７３と、キャリッジモーター７４（図４参照）と、移動部７５と、を備えている。
【００３７】
インク吐出部７１は、複数色（例えばＣＭＹＫの４色）のインクを吐出する。インク吐出部７１は、各色のインクをインクジェット方式で吐出する複数のインク吐出ヘッド（図示省略）を備えている。インク吐出ヘッドのノズル面と、プラテン６に支持されたロール紙Ｐとの間隙つまりペーパーギャップは、所定の範囲内（例えば数ｍｍ程度）に調整されている。キャリッジ７２は、インク吐出部７１を搭載している。キャリッジガイド軸７３は、Ｙ方向に延びており、キャリッジ７２のＹ方向における往復移動をガイドする。キャリッジモーター７４は、キャリッジ７２をＹ方向に往復移動させる駆動源となる。
【００３８】
移動部７５は、キャリッジモーター７４からの動力を受け、キャリッジ７２をＹ方向に移動させる。移動部７５は、第１移動部側プーリー７５１と、第２移動部側プーリー７５２と、タイミングベルト７５３とを備えている。
【００３９】
第１移動部側プーリー７５１は、プラテン６に対して＋Ｙ側に位置し、第２移動部側プーリー７５２は、プラテン６に対して−Ｙ側に位置している。タイミングベルト７５３は、第１移動部側プーリー７５１と第２移動部側プーリー７５２との間に掛け渡されている。タイミングベルト７５３は、キャリッジモーター７４の出力軸に固定されたモーター歯車７４１（図４参照）と噛み合っている。また、タイミングベルト７５３には、キャリッジ７２が連結されている。キャリッジモーター７４が正逆回転してタイミングベルト７５３が正逆走行することにより、キャリッジ７２がＹ方向に往復移動する。
【００４０】
印刷部７は、インク吐出部７１がＹ方向に往復移動しながら、インク吐出部７１からインクを吐出することにより、プラテン６上をＸ方向に送られるロール紙Ｐに対して印刷を行う。
【００４１】
媒体押え部８は、押え部材８１を備えている。押え部材８１は、第１押え部８１１と、第２押え部８１２とを備えている。第１押え部８１１は、ロール紙Ｐの幅方向における一方（＋Ｙ側）の幅端（以下「第１媒体幅端Ｐ１」という。）をプラテン６に対して押える。第２押え部８１２は、ロール紙Ｐの幅方向における他方（−Ｙ側）の幅端（以下「第２媒体幅端Ｐ２」という。）をプラテン６に対して押える。Ｘ方向における第１押え部８１１および第２押え部８１２の長さは、Ｘ方向におけるインク吐出部７１の長さと略同じである。第１媒体幅端Ｐ１および第２媒体幅端Ｐ２が反ったり折れ曲がったりしているような場合にも、この第１押え部８１１および第２押え部８１２により、第１媒体幅端Ｐ１および第２媒体幅端Ｐ２がプラテン６から浮き上がることが抑制される。これにより、僅かなペーパーギャップを存してインク吐出部７１と対向しているロール紙Ｐの第１媒体幅端Ｐ１および第２媒体幅端Ｐ２が、インク吐出部７１と接触することが抑制される。
【００４２】
図４を参照して、媒体押え部８についてより具体的に説明する。媒体押え部８は、上記した押え部材８１のほか、欠歯歯車８２と、動力伝達部８３とを備えている。
【００４３】
押え部材８１は、上記した第１押え部８１１および第２押え部８１２に加え、ラック部８１３と、第１接続部８１４と、第２接続部８１５とを備えている。第１押え部８１１と第２押え部８１２とは、第１接続部８１４、ラック部８１３および第２接続部８１５を介して、相互に連結されている。
【００４４】
第１押え部８１１は、プラテン６に対して＋Ｙ側に設けられている。第２押え部８１２は、プラテン６に対して−Ｙ側に設けられている。また、押え部材８１は、後述するように、インク吐出部７１の移動に連動して、Ｙ方向に移動する。このため、第１押え部８１１は、第１媒体幅端Ｐ１をプラテン６に対して押える第１押え位置８１１ａ(第１位置)と、第１押え位置８１１ａよりもロール紙Ｐの幅方向外側（＋Ｙ側）の第１外側位置８１１ｂ（第２位置）と、第１押え位置８１１ａよりもロール紙Ｐの幅方向内側（−Ｙ側）の第１内側位置８１１ｃとに位置する。第２押え部８１２は、第２媒体幅端Ｐ２をプラテン６に対して押える第２押え位置８１２ａ（第３位置）と、第２押え位置８１２ａよりもロール紙Ｐの幅方向外側（−Ｙ側）の第２外側位置８１２ｂ(第４位置)と、第２押え位置８１２ａよりもロール紙Ｐの幅方向内側（＋Ｙ側）の第３内側位置８１２ｃとに位置する。
【００４５】
なお、第１押え部８１１は、第１外側位置８１１ｂに位置する際にも、ロール紙Ｐに対して完全には＋Ｙ側に外れておらず、第１媒体幅端Ｐ１を押えている。同様に、第２押え部８１２は、第２外側位置８１２ｂに位置する際にも、ロール紙Ｐに対して完全には−Ｙ側に外れておらず、第２媒体幅端Ｐ２を押えている。また、当然ではあるが、第１押え部８１１は、第１内側位置８１１ｃに位置する際には、第１媒体幅端Ｐ１を含め、より広い範囲で、ロール紙Ｐを押えている。同様に、第２押え部８１２は、第３内側位置８１２ｃに位置する際には、第２媒体幅端Ｐ２を含め、より広い範囲で、ロール紙Ｐを押えている。
【００４６】
ラック部８１３は、プラテン６の−Ｚ側に位置してＹ方向に延びており、欠歯歯車８２と噛み合う。第１接続部８１４は、Ｚ方向に延びており、ラック部８１３の＋Ｙ側の端部と、第１押え部８１１とを接続している。第２接続部８１５は、Ｚ方向に延びており、ラック部８１３の−Ｙ側の端部と、第２押え部８１２とを接続している。
【００４７】
欠歯歯車８２は、インク吐出部７１の移動に連動して回転し、押え部材８１を、Ｙ方向に移動させる。欠歯歯車８２は、ラック部８１３と噛み合う有歯部８２１と、ラック部８１３と噛み合わない欠歯部８２２とを備えている。
【００４８】
動力伝達部８３は、第１傘歯車８３１と、第２傘歯車８３２と、第１押え部側プーリー８３３と、第２押え部側プーリー８３４と、押え部側ベルト８３５とを備えている。動力伝達部８３は、移動部７５側の移動部側動力伝達部８３ａと、欠歯歯車８２側（連動部側）の連動部側動力伝達部８３ｂとに分けられる。移動部側動力伝達部８３ａには、第１傘歯車８３１が含まれる。連動部側動力伝達部８３ｂには、第２傘歯車８３２など、第１傘歯車８３１以外のものが含まれる。移動部側動力伝達部８３ａは、装置フレームに支持され、連動部側動力伝達部８３ｂは、リンク部３に支持されている。
【００４９】
第１傘歯車８３１は、シャフト８３６によって、移動部７５の第１移動部側プーリー７５１と連結されている。第１傘歯車８３１は、第２傘歯車８３２と噛み合う。すなわち、第１傘歯車８３１は、移動部側動力伝達部８３ａの連動部側動力伝達部８３ｂへの動力出力端であり、第２傘歯車８３２は、連動部側動力伝達部８３ｂの移動部側動力伝達部８３ａからの動力入力端である。
【００５０】
上述したように、移動部側動力伝達部８３ａに含まれる第１傘歯車８３１は、装置フレームに支持され、連動部側動力伝達部８３ｂに含まれる第２傘歯車８３２は、リンク部３に支持されている。蓋部２が開かれ、リンク部３が非印刷位置３ａに移動すると、第１傘歯車８３１と第２傘歯車８３２との噛み合いが外れる。蓋部２が閉じられ、リンク部３が印刷位置３ｂに移動すると、第１傘歯車８３１と第２傘歯車８３２とが噛み合う。
【００５１】
第２傘歯車８３２には、第１押え部側プーリー８３３が同軸上に固定されている。第１押え部側プーリー８３３には、第２押え部側プーリー８３４との間で、押え部側ベルト８３５が８の字状に掛けられている。第２押え部側プーリー８３４は、欠歯歯車８２に対して同軸上に固定されている。
【００５２】
図４（ａ）に示すように、インク吐出部７１が＋Ｙ側に移動する際は、第１移動部側プーリー７５１の回転動力が第１傘歯車８３１を介して第２傘歯車８３２に伝達され、第２傘歯車８３２が図示時計回りに回転する。第２傘歯車８３２の回転動力が押え部側ベルト８３５を介して欠歯歯車８２に入力し、欠歯歯車８２が図示反時計回りに回転する。これにより、ラック部８１３において欠歯歯車８２と噛み合った押え部材８１が、＋Ｙ側に移動する。
【００５３】
図４（ｂ）に示すように、インク吐出部７１が−Ｙ側に移動する際は、第１移動部側プーリー７５１の回転動力が第１傘歯車８３１を介して第２傘歯車８３２に伝達され、第２傘歯車８３２が図示反時計回りに回転する。第２傘歯車８３２の回転動力が押え部側ベルト８３５を介して欠歯歯車８２に入力し、欠歯歯車８２が図示時計回りに回転する。これにより、ラック部８１３において欠歯歯車８２と噛み合った押え部材８１が、−Ｙ側に移動する。
【００５４】
図５を参照して、インク吐出部７１の移動に連動して第１押え部８１１および第２押え部８１２が回動することについて説明する。図５（ａ）は、インク吐出部７１は、Ｙ軸方向における移動範囲の略中心に位置している状態を示している。このとき、第１押え部８１１は、第１押え位置８１１ａに位置し、第２押え部８１２は、第２押え位置８１２ａに位置している。また、欠歯歯車８２は、ラック部８１３と噛み合っていない。
【００５５】
続いて、図５（ｂ）に示すように、インク吐出部７１が＋Ｙ側に移動すると、欠歯歯車８２が図示反時計回りに回転し、ラック部８１３と噛み合う。欠歯歯車８２がラック部８１３との噛み合いを開始したときのインク吐出部７１の位置を、第１途中位置７１ｃという。
【００５６】
続いて、図５（ｃ）に示すように、インク吐出部７１が第１途中位置７１ｃからさらに＋Ｙ側に移動すると、欠歯歯車８２が図示反時計回りに回転することにより、押え部材８１が＋Ｙ側に移動する。そして、インク吐出部７１が第１媒体幅端Ｐ１に対してインクを吐出可能な第１吐出位置７１ａに達した際には、第１押え部８１１が第１外側位置８１１ｂに位置すると共に、第２押え部８１２が第３内側位置８１２ｃに位置する。
【００５７】
続いて、図５（ｄ）に示すように、インク吐出部７１が第１吐出位置７１ａから−Ｙ側に移動すると、欠歯歯車８２が図示時計回りに回転することにより、押え部材８１が−Ｙ側に移動する。そして、インク吐出部７１が第１途中位置７１ｃに戻った際には、第１押え部８１１が第１押え位置８１１ａに位置すると共に、第２押え部８１２が第２押え位置８１２ａに位置する。また、欠歯歯車８２とラック部８１３との噛み合いが終了する。
【００５８】
続いて、図５（ｅ）に示すように、インク吐出部７１が第１途中位置７１ｃからさらに−Ｙ側に移動すると、欠歯歯車８２が図示時計回りに回転し、ラック部８１３と再び噛み合う。欠歯歯車８２がラック部８１３との噛み合いを開始したときのインク吐出部７１の位置を、第２途中位置７１ｄという。
【００５９】
続いて、図５（ｆ）に示すように、インク吐出部７１が第２途中位置７１ｄからさらに−Ｙ側に移動すると、欠歯歯車８２が図示時計回りに回転することにより、押え部材８１が−Ｙ側に移動する。そして、インク吐出部７１が第２媒体幅端Ｐ２に対してインクを吐出可能な第２吐出位置７１ｂに達した際には、第１押え部８１１が第１内側位置８１１ｃに位置すると共に、第２押え部８１２が第２外側位置８１２ｂに位置する。
【００６０】
続いて、図５（ｇ）に示すように、インク吐出部７１が第２吐出位置７１ｂから＋Ｙ側に移動すると、欠歯歯車８２が図示反時計回りに回転することにより、押え部材８１が＋Ｙ側に移動する。そして、インク吐出部７１が第２途中位置７１ｄに戻った際には、第１押え部８１１が第１押え位置８１１ａに位置すると共に、第２押え部８１２が第２押え位置８１２ａに位置する。また、欠歯歯車８２とラック部８１３との噛み合いが終了する。
【００６１】
このように、欠歯歯車８２は、インク吐出部７１が、第１途中位置７１ｃと第１吐出位置７１ａとの間で移動する際、および前記インク吐出部７１が、第２途中位置７１ｄと第２吐出位置７１ｂとの間で移動する際に、ラック部８１３と噛み合い、押え部材８１をＹ方向に移動させる。また、欠歯歯車８２は、インク吐出部７１が、第１途中位置７１ｃと第２途中位置７１ｄとの間で移動する際に、ラック部８１３と噛み合わず、押え部材８１をＹ方向に移動させない。なわち、欠歯歯車８２、入力したキャリッジモーター７４の駆動力を、間欠的に押え部材８１に伝達する。
【００６２】
以上のように、本実施形態のレシートプリンターＡは、ロール紙Ｐを送る送りローラー対５と、ロール紙Ｐの送り経路に設けられ、ロール紙Ｐを支持するプラテン６と、第１媒体幅端Ｐ１に対してインクを吐出可能な第１吐出位置７１ａと、第２媒体幅端Ｐ２に対してインクを吐出可能な第２吐出位置７１ｂと、に移動しながら、プラテン６に支持されたロール紙Ｐに対しインクを吐出するインク吐出部７１と、第１押え部８１１を有する押え部材８１とを備えている。第１押え部８１１は、インク吐出部７１が第２吐出位置７１ｂに位置する際に、第１媒体幅端Ｐ１をプラテン６に対して押える第１押え位置８１１ａに位置し、インク吐出部７１が第１吐出位置７１ａに位置する際に、第１外側位置８１１ｂに位置する。
この構成では、インク吐出部７１が第２吐出位置７１ｂに位置する際に、第１押え部８１１が第１押え位置８１１ａに位置し、第１媒体幅端Ｐ１を押さえる。このため、第１媒体幅端Ｐ１がインク吐出部７１と接触することが抑制される。一方、インク吐出部７１が第１吐出位置７１ａに位置する際に、第１押え部８１１が第１外側位置８１１ｂに位置する。このため、第１吐出位置７１ａに位置するインク吐出部７１から、第１媒体幅端Ｐ１に対して、インクが着弾可能となる。
また、本実施形態のレシートプリンターＡは、第１押え部８１１と同様に構成された第２押え部８１２を備えている。
この構成では、第２媒体幅端Ｐ２がインク吐出部７１と接触することが抑制され、また、第２吐出位置７１ｂに位置するインク吐出部７１から、第２媒体幅端Ｐ２に対して、インクが着弾可能となる。
したがって、本構成によれば、第１媒体幅端Ｐ１および第２媒体幅端Ｐ２がインク吐出部７１と接触することを抑制し、且つ、ロール紙Ｐの幅方向における印刷可能領域が狭くなることを抑制することができる。
【００６３】
本実施形態のレシートプリンターＡは、インク吐出部７１を第１吐出位置７１ａと第２吐出位置７１ｂとに移動させる駆動源となるキャリッジモーター７４と、キャリッジモーター７４の動力を受けて、インク吐出部７１を第１吐出位置７１ａと第２吐出位置７１ｂとに移動させる移動部７５とを備えている。また、レシートプリンターＡは、インク吐出部７１の移動に連動して、押え部材８１を移動させる欠歯歯車８２と、移動部７５を介して入力したキャリッジモーター７４の動力を、欠歯歯車８２が押え部材８１を移動させるように、欠歯歯車８２に伝達する動力伝達部８３とを備えている。
この構成では、キャリッジモーター７４の動力が移動部７５に伝達されると、インク吐出部７１が第１吐出位置７１ａや第２吐出位置７１ｂに移動すると共に、移動部７５を介して動力伝達部８３に入力したキャリッジモーター７４の動力が、欠歯歯車８２に伝達され、欠歯歯車８２が押え部材８１を移動させる。これにより、インク吐出部７１の移動と、押え部材８１の移動とが連動して行われる。
【００６４】
本実施形態のレシートプリンターＡでは、押え部材８１が、ラック部８１３を有している。また、欠歯歯車８２は、ラック部８１３と噛み合う有歯部８２１、およびラック部８１３と噛み合わない欠歯部８２２を備えている。欠歯歯車８２は、インク吐出部７１が、第１途中位置７１ｃと第１吐出位置７１ａとの間で移動する際、および前記インク吐出部７１が、第２途中位置７１ｄと第２吐出位置７１ｂとの間で移動する際に、ラック部８１３と噛み合う。また、欠歯歯車８２は、インク吐出部７１が、第１途中位置７１ｃと第２途中位置７１ｄとの間で移動する際に、ラック部８１３と噛み合わない。
この構成では、インク吐出部７１が、第１途中位置７１ｃと第１吐出位置７１ａとの間で移動する際、および前記インク吐出部７１が、第２途中位置７１ｄと第２吐出位置７１ｂとの間で移動する際に、インク吐出部７１の移動に連動して、押え部材８１が移動する。一方、インク吐出部７１が第１途中位置７１ｃと第２途中位置７１ｄとの間で移動する際に、インク吐出部７１の移動に連動して欠歯歯車８２が回転しても、押え部材８１が移動しない。これにより、インク吐出部７１が第１途中位置７１ｃと第２途中位置７１ｄとの間に位置している間は、第１押え部８１１が第１押え位置８１１ａから第１外側位置８１１ｂへ移動せず、第２押え部８１２が第２押え位置８１２ａから第２外側位置８１２ｂへ移動しない。したがって、本構成によれば、第１押え部８１１が第１押え位置８１１ａから退避する必要がある場合、すなわち、インク吐出部７１が第１吐出位置７１ａに位置している場合、以外は、なるべく長い間、第１押え部８１１により第１媒体幅端Ｐ１を押えておくことができる。また、第２押え部８１２が第２押え位置８１２ａから退避する必要がある場合、すなわち、インク吐出部７１が第２吐出位置７１ｂに位置している場合、以外は、なるべく長い間、第２押え部８１２により第２媒体幅端Ｐ２を押えておくことができる。
【００６５】
本実施形態のレシートプリンターＡは、媒体押え部８の大部分（連動部側動力伝達部８３ｂ、欠歯歯車８２、押え部材８１など）およびプラテン６が支持されたリンク部３と、媒体押え部８の一部（移動部側動力伝達部８３ａ）および印刷部７が支持された装置フレームとを備えている。リンク部３は、印刷位置３ｂと非印刷位置３ａとに可動であり、リンク部３が印刷位置３ｂに位置する際に、移動部側動力伝達部８３ａの第１傘歯車８３１と、連動部側動力伝達部８３ｂの第２傘歯車８３２とが噛み合い、リンク部３が非印刷位置３ａに位置する際に、第１傘歯車８３１と第２傘歯車８３２との噛み合いが外れる。
この構成によれば、リンク部３が非印刷位置３ａに位置する際に、第１傘歯車８３１と第２傘歯車８３２との噛み合いが外れることにより、リンク部３が印刷位置３ｂから非印刷位置３ａへスムースに移動することができる。また、リンク部３が印刷位置３ｂに位置する際に、第１傘歯車８３１と第２傘歯車８３２とが噛み合うことにより、動力伝達部８３が、移動部７５を介して入力したキャリッジモーター７４の動力を、欠歯歯車８２に伝達することができる。
【００６６】
本実施形態のレシートプリンターＡでは、第１押え部８１１が、第１外側位置８１１ｂに位置する際にも、ロール紙Ｐに対して完全には＋Ｙ側に外れておらず、第１媒体幅端Ｐ１を押えている。
この構成によれば、第１押え部８１１が第１外側位置８１１ｂから第１押え位置８１１ａに移動する際に、すなわち、押え部材８１が−Ｙ側に移動する際に、第１押え部８１１が、ロール紙Ｐの＋Ｙ側の端面を引っ掛けることを抑制することができる。
同様に、本実施形態のレシートプリンターＡでは、第２押え部８１２が、第２外側位置８１２ｂに位置する際にも、ロール紙Ｐに対して完全には−Ｙ側に外れておらず、第２媒体幅端Ｐ２を押えている。
この構成によれば、第２押え部８１２が第２外側位置８１２ｂから第２押え位置８１２ａに移動する際に、すなわち、押え部材８１が＋Ｙ側に移動する際に、第２押え部８１２が、ロール紙Ｐの−Ｙ側の端面を引っ掛けることを抑制することができる。
【００６７】
なお、ロール紙Ｐは、「印刷媒体」の一例である。送りローラー対５は、「送り部」の一例である。キャリッジモーター７４は、「駆動部」の一例である。欠歯歯車８２は、「連動部」の一例である。リンク部３は、「プラテン側支持部」の一例である。装置フレームは、「印刷部側支持部」の一例である。第１傘歯車８３１は、「動力出力端」の一例である。第２傘歯車８３２は、「動力入力端」の一例である。
本発明は上記した実施形態に限定されず、その趣旨を逸脱しない範囲で種々の構成を採用可能であることは言うまでもない。例えば、本実施形態は、以下のような形態に変更することができる。
【００６８】
第１押え部８１１は、第１外側位置８１１ｂに位置する際に、第１媒体幅端Ｐ１を押えていなくてもよく、同様に、第２押え部８１２は、第２外側位置８１２ｂに位置する際に、第２媒体幅端Ｐ２を押えていなくてもよい。この構成によれば、ロール紙Ｐの第１媒体幅端Ｐ１および第２媒体幅端Ｐ２に対してフチ無し印刷を行うことが可能となり、ロール紙Ｐの幅方向における印刷可能領域が狭くなることを、より効果的に抑制することができる。なお、この場合、押え部材８１がＹ方向に移動する際に、第１押え部８１１や第２押え部８１２が、ロール紙Ｐの幅方向の端面を引っ掛けることを抑制すべく、例えば、第１押え部８１１および第２押え部８１２の先端部の−Ｚ側の面を、斜状に形成することが好ましい。
また、第１押え部８１１と第２押え部８１２とは、別々に移動する構成であってもよい。
【００６９】
印刷媒体としては、ロール紙Ｐに限定されるものではなく、ファンフォールド紙などの他の連続紙であってもよく、単票紙であってもよい。本発明は、レシートプリンターＡ以外にも、種々の用途のインクジェットプリンターに適用可能である。
【符号の説明】
【００７０】
５        ：送りローラー対
６        ：プラテン
７１      ：インク吐出部
７１ａ    ：第１吐出位置
７１ｂ    ：第２吐出位置
８１      ：押え部材
８１１    ：第１押え部
８１１ａ  ：第１押え位置（第１位置）
８１１ｂ  ：第１外側位置(第２位置)
８１２    ：第２押え部
８１２ａ  ：第２押え位置（第３位置）
８１２ｂ  ：第２外側位置（第４位置）
Ａ        ：レシートプリンター
Ｐ        ：ロール紙
Ｐ１      ：第１媒体幅端
Ｐ２      ：第２媒体幅端
【図１】
2016185620.tif 000003
【図２】
2016185620.tif 000004
【図３】
2016185620.tif 000005
【図４】
2016185620.tif 000006
【図５】
2016185620.tif 000007